(57)【要約】【要  約】【課  題】  運搬用車両から積荷を積み下ろしする際に、高さが２ｍに満たない荷台上で安全帯を使用しなくても、作業員が荷台から転落するのを防止できる荷台上作業方法および荷台上作業用安全柵を提供する。【解決手段】  地面を移動可能な荷台上作業用安全柵を荷台の外側に配列し、紐状の巻き付け部材を荷台の繋止具および／または隣り合う荷台上作業用安全柵に縛り付けることによって荷台上作業用安全柵の転倒を防止する。【選択図】        図１
2006095222.tif 000002
【特許請求の範囲】
【請求項１】
運搬用車両の荷台で作業員が積荷の積み下ろしを行なう荷台上作業方法において、地面を移動可能な荷台上作業用安全柵を前記荷台の外側に配列し、紐状の巻き付け部材を前記荷台の繋止具および／または隣り合う荷台上作業用安全柵に縛り付けることによって前記荷台上作業用安全柵の転倒を防止して、積荷の積み下ろし作業を行なうことを特徴とする荷台上作業方法。
【請求項２】
前記巻き付け部材として、鎖、チェーンまたはロープを使用することを特徴とする請求項１に記載の荷台上作業方法。
【請求項３】
運搬用車両の荷台で積荷の積み下ろしを行なう作業員の転落を防止する荷台上作業用安全柵であって、梁と支柱からなる柵体と、前記柵体の下部に配設されて前記柵体の移動を可能にする車輪と、前記支柱に取り付けられて上下に摺動しかつ所定の位置で固定されるスライド式転倒防止治具とを有することを特徴とする荷台上作業用安全柵。
【請求項４】
前記スライド式転倒防止治具が、固定ボルトと紐状の巻き付け部材と管状の摺動部材からなることを特徴とする請求項３に記載の荷台上作業用安全柵。
【発明の詳細な説明】
【技術分野】
【０００１】
本発明は、トラック等の運搬用車両の荷台で作業員が積荷の積み下ろし作業を行なう際に、荷台から作業員が転落するのを防止する荷台上作業方法と荷台上作業用安全柵に関するものである。
【背景技術】
【０００２】
地面からの高さが２ｍ以上の高所で作業を行なう場合には、作業員の転落を防止するために安全帯を使用することが労働基準法によって義務付けられている。安全帯は、一端を作業員の腰に固定し、他端に取り付けたフックを安全索等に連結して、作業員の転落を防止するものである（特許文献１〜３参照）。
【０００３】
ところがトラック等の運搬用車両の荷台は、地面からの高さが２ｍに満たないので、荷台上で必ずしも安全帯を使用せずに、積荷の積み下ろし作業を行なうことが多い。一般に、運搬用車両から積荷を積み下ろしする作業場は舗装されており、地面の硬さが著しく増大している。そのため、作業員が安全帯を使用せず、荷台から地面に転落した場合には負傷（たとえば打撲，骨折等）する恐れがある。
【０００４】
荷台に転落防止の柵を取り付ければ、作業員の転落を防止することは可能である。しかし、荷台の周囲に大型の柵を取り付ければ違法な改造となり、その車両は公道の通行を禁止される。したがって一般の運送業者が使用する車両では、荷台に大型の柵を取り付けることはできない。そのため、運搬用車両の大規模な改造を行なわず、作業員の転落を防止する必要がある。
【特許文献１】特許第3285840 号公報
【特許文献２】特開2000-210389 号公報
【特許文献３】特開平7-127240 号公報
【発明の開示】
【発明が解決しようとする課題】
【０００５】
本発明は上記のような問題を解消し、運搬用車両から積荷を積み下ろしする際に、高さが２ｍに満たない荷台上で安全帯を使用しなくても、荷台から作業員が転落するのを防止できる荷台上作業方法および荷台上作業用安全柵を提供することを目的とする。
【課題を解決するための手段】
【０００６】
本発明は、運搬用車両の荷台で作業員が積荷の積み下ろしを行なう荷台上作業方法において、地面を移動可能な荷台上作業用安全柵を荷台の外側に配列し、紐状の巻き付け部材を荷台の繋止具および／または隣り合う荷台上作業用安全柵に縛り付けることによって荷台上作業用安全柵の転倒を防止して、積荷の積み下ろし作業を行なう荷台上作業方法である。
【０００７】
本発明の荷台上作業方法では、巻付き部材として、鎖，チェーンまたはロープを使用することが好ましい。
【０００８】
また本発明は、運搬用車両の荷台で積荷の積み下ろしを行なう作業員の転落を防止する荷台上作業用安全柵であって、梁と支柱からなる柵体と、柵体の下部に配設されて柵体の移動を可能にする車輪と、柵体の支柱に取り付けられて上下に摺動しかつ所定の位置で固定されるスライド式転倒防止治具とを有する荷台上作業用安全柵である。
【０００９】
本発明の荷台上作業用安全柵では、スライド式転倒防止治具が、固定ボルトと紐状の巻き付け部材と管状の摺動部材からなることが好ましい。さらに巻き付け部材が、鎖，チェーンまたはロープであることが好ましい。
【発明の効果】
【００１０】
本発明によれば、運搬用車両から積荷を積み下ろしする際に、荷台の高さが２ｍに満たない場合に安全帯を使用しなくても、荷台から作業員が転落するのを防止し、積み下ろし作業を安全に行なうことができる。しかも運搬用車両の大規模な改造は必要ないので、公道の通行にも支障はない。
【発明を実施するための最良の形態】
【００１１】
本発明の荷台上作業用安全柵の例を模式的に図１〜３に示す。すなわち、図１は荷台上作業用安全柵の正面図、図２は平面図、図３は側面図である。
【００１２】
本発明の荷台上作業用安全柵は、梁３と支柱４からなる柵体５と、その柵体５の下部に配設される車輪２と、支柱４に取り付けられて上下に摺動しかつ所定の位置に固定されるスライド式転倒防止治具６とを有する。
【００１３】
車輪２の下端から柵体５の上端までの高さ（すなわち荷台上作業用安全柵の地面からの高さＨ）は、２〜３ｍの範囲内が好ましい。荷台上作業用安全柵の高さＨが２ｍ未満では、運搬用車両の荷台上で積み下ろし作業を行なう作業員には低すぎて、転落防止の効果が得られないばかりでなく、逆に躓いて転落する恐れがある。一方、荷台上作業用安全柵の高さＨが３ｍを超えると、積み下ろし作業に支障をきたすばかりでなく、荷台上作業用安全柵の重心が高くなって転倒し易くなる。
【００１４】
荷台上作業用安全柵の幅Ｗは、２〜４ｍの範囲内が好ましい。荷台上作業用安全柵の幅Ｗが２ｍ未満では、荷台上作業用安全柵の重心が高くなって転倒し易くなる。一方、荷台上作業用安全柵の幅Ｗが４ｍを超えると、荷台上作業用安全柵の重量が増大し、車輪２を用いて地面を移動させるのが困難になる。
【００１５】
図１には梁３を４本と支柱４を３本で柵体５を構成する例を示したが、本発明では梁３と支柱４の本数や位置は図１の例に限るものではない。運搬用車両の荷台上で積み下ろし作業を行なう作業員が荷台上作業用安全柵に掴まって身体を支えたときに、変形することなく、体重を支持できるように梁３と支柱４を組み合わせて柵体５を構成する。ただし、荷台より上方の位置に多くの梁３を配設するのが好ましい。その理由は、梁３の隙間から作業員が転落するのを防止するためである。荷台より下方の位置は、柵体５が変形しない程度に梁３を配設すれば良い。
【００１６】
このようにして梁３と支柱４を組み合わせて柵体５を構成し、その柵体５の下部に車輪２を配設する。荷台から積荷を積み下ろしする作業場は、通常、地面が舗装されて平坦であるから、モーター等の駆動装置を使用しなくても、作業員が荷台上作業用安全柵を押す（あるいは引っ張る）ことによって容易に移動できる。
【００１７】
積荷の積み下ろしを行なう際には、運搬用車両の荷台の外側に荷台上作業用安全柵を配列する。ただし、運転席側に荷台上作業用安全柵を配列する必要はない。したがって、荷台の両側面と後面（合計３面）に荷台上作業用安全柵を配列する。運搬用車両の荷台上で積み下ろし作業を行なう作業員が荷台上作業用安全柵に掴まって身体を支えたときに、荷台上作業用安全柵が転倒しないように、スライド式転倒防止治具６を用いて、荷台上作業用安全柵を荷台に縛り付ける。
【００１８】
スライド式転倒防止治具６は、図４に拡大して示すように、固定ボルト９と紐状の巻き付け部材７と管状の摺動部材８からなる。また図３に示すように、支柱４には２ケ以上の位置決め孔10が設けられており、固定ボルト９を位置決め孔10に挿入してネジ止めすることによって摺動部材８が所定の位置に固定される。巻き付け部材７は、一端を摺動部材８に連結し、他端を荷台に設置される繋止具（たとえばフック，リング等）や隣り合う荷台上作業用安全柵に縛り付けて、荷台上作業用安全柵の転倒を防止するものである。したがって巻き付け部材７として、鎖，チェーン，ロープ等を使用するのが好ましい。なお図１および図５には、巻き付け部材７として鎖を使用する例を示す。
【００１９】
図５は、巻き付け部材７を荷台の繋止具11に縛り付けた状態を示す配置図である。なお図５には、繋止具11としてフックを使用する例を示したが、本発明では繋止具11の形状は図５の例に限るものではなく、巻き付け部材７を縛り付けることが可能な形状（たとえばフック，リング等）のものを使用する。
【００２０】
運搬用車両の寸法（すなわち荷台12の高さ）に応じて摺動部材８を固定する位置を変更する必要が生じた場合は、位置決め孔10を適宜選択して摺動部材８を固定する。
【００２１】
ただし、積荷を積み下ろしすることによって荷重が増減するので、荷台の高さは若干変化する。積荷の積み下ろしによる高さの変化に対応するために、巻き付け部材７を繋止具11に縛り付ける際には、若干の余裕を持たせることが好ましい。
【００２２】
また、複数の荷台上作業用安全柵を配列する場合には、巻き付け部材７を隣り合う荷台上作業用安全柵に縛り付けることも可能である。
【００２３】
このようにして、荷台12上で積荷の積み下ろし作業を行なう際に作業員がバランスを崩しても、荷台上作業用安全柵で身体を支えることによって転落を防止できる。
【００２４】
以上に説明した通り、本発明によれば、地面からの高さが２ｍに満たない荷台上で積荷の積み下ろし作業を行なう際に、作業員が安全帯を使用しなくても、荷台から転落するのを防止できる。しかも、荷台に繋止具を取り付ける程度の小規模の改造で本発明を実施できるので、公道を通行する運搬用車両にも適用できる。
【００２５】
なお本発明は、安全帯と併用することも可能である。
【実施例】
【００２６】
図１〜３に示す荷台上作業用安全柵を製作した。高さＨは2400mm，幅Ｗは3000mmとした。地面からの高さが２ｍに満たない荷台上で積荷の積み下ろし作業を行なう際に、荷台の両側面と後面（合計３面）の外側に荷台上作業用安全柵を配列した。さらに図５に示すように、巻き付け部材７を繋止具11に縛り付けて、荷台上作業用安全柵の転倒を防止した。
【００２７】
このようにして積み下ろし作業を６ケ月間行なった。その期間中の作業員の転落事故は皆無であった。
【図面の簡単な説明】
【００２８】
【図１】本発明の荷台上作業用安全柵の例を模式的に示す正面図である。
【図２】図１に示す荷台上作業用安全柵の平面図である。
【図３】図１に示す荷台上作業用安全柵の側面図である。
【図４】図１中のスライド式固定治具を拡大して示す正面図である。
【図５】巻付き部材を繋止具に縛り付けた例を示す配置図である。
【符号の説明】
【００２９】
１  地面
２  車輪
３  梁
４  支柱
５  柵体
６  スライド式転倒防止治具
７  巻き付け部材
８  摺動部材
９  固定ボルト
10  位置決め孔
11  繋止具
12  荷台
13  タイヤ
【図１】
2006095222.tif 000003
【図２】
2006095222.tif 000004
【図３】
2006095222.tif 000005
【図４】
2006095222.tif 000006
【図５】
2006095222.tif 000007